(57)【特許請求の範囲】
【請求項１】
第１撮影シーンの撮影画像に対する第１改善要望及び前記第１改善要望とは異なる第２改善要望と、前記第１改善要望を解決するためにデジタルカメラに設定すべき第１設定及び前記第２改善要望を解決するためにデジタルカメラに設定すべき第２設定と、前記第１撮影シーンとは異なる第２撮影シーンの撮影画像に対する第３改善要望及び前記第３改善要望とは異なる第４改善要望と、前記第３改善要望を解決するためにデジタルカメラに設定すべき第３設定及び前記第４改善要望項目を解決するためにデジタルカメラに設定すべき第４設定とを記憶する記憶部と、
ガイダンスモードにおいてガイダンスの対象である対象撮影画像の撮影シーンを認識する認識部と、
前記対象撮影画像の撮影シーンが前記認識部により認識されない場合は、前記ガイダンスモードにおいて、前記記憶部に記憶されている前記第１撮影シーン及び前記第２撮影シーンから前記対象撮影画像の撮影シーンをユーザに選択させるための撮影シーン選択画面を表示部に表示する第１処理と、前記撮影シーン選択画面において前記第１撮影シーンがユーザにより選択されたときは前記記憶部に記憶されている前記第１改善要望及び前記第２改善要望からユーザが要望する改善要望をユーザに選択させるための第１改善要望選択画面を前記表示部に表示し、前記撮影シーン選択画面において前記第２撮影シーンがユーザにより選択されたときは前記記憶部に記憶されている前記第３改善要望及び前記第４改善要望からユーザが要望する改善項目をユーザに選択させるための第２改善要望選択画面を前記表示部に表示する第２処理と、前記第１改善要望選択画面において前記第１改善要望がユーザにより選択されたときはデジタルカメラに設定すべき前記第１設定を示す第１ガイド画面を前記表示部に表示し、前記第１改善要望選択画面において前記第２改善要望がユーザにより選択されたときはデジタルカメラに設定すべき前記第２設定を示す第２ガイド画面を前記表示部に表示し、前記第２改善要望選択画面において前記第３改善要望がユーザにより選択されたときはデジタルカメラに設定すべき前記第３設定を示す第３ガイド画面を前記表示部に表示し、前記第２改善要望選択画面において前記第４改善要望がユーザにより選択されたときはデジタルカメラに設定すべき前記第４設定を示す第４ガイド画面を前記表示部に表示する第３処理とを実行し、
前記対象撮影画像の撮影シーンが前記認識部により認識された場合は、前記ガイダンスモードにおいて、前記撮影シーン選択画面を前記表示部に表示する前記第１処理を実行することなく、前記対象撮影画像の撮影シーンが前記第１撮影シーンであると前記認識部により認識されたときは前記第１改善要望選択画面を前記表示部に表示し、前記対象撮影画像の撮影シーンが前記第２撮影シーンであると前記認識部により認識されたときは前記第２改善要望選択画面を前記表示部に表示する第４処理と、前記第１改善要望選択画面において前記第１改善要望がユーザにより選択されたときは前記第１ガイド画面を前記表示部に表示し、前記第１改善要望選択画面において前記第２改善要望がユーザにより選択されたときは前記第２ガイド画面を前記表示部に表示し、前記第２改善要望選択画面において前記第３改善要望がユーザにより選択されたときは前記第３ガイド画面を前記表示部に表示し、前記第２改善要望選択画面において前記第４改善要望がユーザにより選択されたときは前記第４ガイド画面を前記表示部に表示する第５処理とを実行する表示制御部とを備えること
を特徴とする画像処理装置。
【請求項２】
請求項１に記載の画像処理装置において、
前記認識部は、タグ情報に基づいて前記対象撮影画像の撮影シーンを認識すること
を特徴とする画像処理装置。
【請求項３】
請求項１又は請求項２に記載の画像処理装置を備えるデジタルカメラであって、
前記ガイダンスモードにおいて前記第１設定を前記デジタルカメラに設定するための操作がユーザによりなされると、前記第１設定が前記デジタルカメラに設定された状態で撮影を行うことが可能な撮影モードに移行するモード制御部とを更に備えること
を特徴とするデジタルカメラ。
【請求項４】
請求項３に記載のデジタルカメラにおいて、
前記表示制御部は、前記第１設定が前記デジタルカメラに設定された状態で撮影することで得られる画像と同様の効果が得られる画像処理を前記対象撮影画像に施した画像処理済画像をサンプル画像として含む前記第１改善要望選択画面を前記表示部に表示し、
前記ガイダンスモードにおいて前記第１設定を前記デジタルカメラに設定するための操作がユーザにより行われることなく撮影モードに移行した場合は、前記画像処理済画像を記録媒体に記録する記録制御部を更に備えること
を特徴とするデジタルカメラ。
【請求項５】
請求項４に記載のデジタルカメラにおいて、
前記記録制御部は、前記画像処理済画像とともに前記対象撮影画像を前記記録媒体に記録すること
を特徴とするデジタルカメラ。
【請求項６】
請求項３から請求項５のいずれか一項に記載のデジタルカメラにおいて、
前記ガイダンスモードへ移行するためにユーザにより操作される操作部を更に備え、
前記対象撮影画像は、撮影指示に応じて生成された画像であり、
前記表示制御部は、前記撮影指示に応じてプレビュー画像を前記表示部に表示し、
前記モード制御部は、前記プレビュー画像が前記表示部に表示されている間に前記操作部がユーザにより操作されると、前記ガイダンスモードに移行すること
を特徴とするデジタルカメラ。
【発明の詳細な説明】
【技術分野】
【０００１】
本発明は、画像処理装置およびデジタルカメラに関する。
【背景技術】
【０００２】
デジタルスチルカメラにおいて、モニタに操作説明を表示するものが知られている（例えば、特許文献１参照）。例えば、撮影シーンが逆光であって、ユーザが逆光シーンに適切な設定で撮影しようと思った場合には、ヘルプモードに切り換え、逆光撮影に関する操作説明をモニタに表示させることで、適切な操作を知ることができる。
【０００３】
【特許文献１】特開２００３−１０１８５０号公報
【発明の開示】
【発明が解決しようとする課題】
【０００４】
しかしながら、カメラ撮影に不慣れなユーザの場合には、撮影シーンによっては特別な設定が必要であるということを知らない場合が多い。そのため、上述のような機能を備えたカメラであっても、逆光シーンと気付かずに普通に撮影を行い人物が暗く撮影されてしまうという状況が発生してしまう。上述したようなユーザの場合、モニタに再生表示された画像を見ても、適切に撮影されなかった原因が分からず、どのように撮影条件を設定すれば思い通りの画像が撮影できるのか分からないという問題があった。
【課題を解決するための手段】
【０００５】
請求項１に記載の画像処理装置は、第１撮影シーンの撮影画像に対する第１改善要望及び前記第１改善要望とは異なる第２改善要望と、前記第１改善要望を解決するためにデジタルカメラに設定すべき第１設定及び前記第２改善要望を解決するためにデジタルカメラに設定すべき第２設定と、前記第１撮影シーンとは異なる第２撮影シーンの撮影画像に対する第３改善要望及び前記第３改善要望とは異なる第４改善要望と、前記第３改善要望を解決するためにデジタルカメラに設定すべき第３設定及び前記第４改善要望項目を解決するためにデジタルカメラに設定すべき第４設定とを記憶する記憶部と、ガイダンスモードにおいてガイダンスの対象である対象撮影画像の撮影シーンを認識する認識部と、前記対象撮影画像の撮影シーンが前記認識部により認識されない場合は、前記ガイダンスモードにおいて、前記記憶部に記憶されている前記第１撮影シーン及び前記第２撮影シーンから前記対象撮影画像の撮影シーンをユーザに選択させるための撮影シーン選択画面を表示部に表示する第１処理と、前記撮影シーン選択画面において前記第１撮影シーンがユーザにより選択されたときは前記記憶部に記憶されている前記第１改善要望及び前記第２改善要望からユーザが要望する改善要望をユーザに選択させるための第１改善要望選択画面を前記表示部に表示し、前記撮影シーン選択画面において前記第２撮影シーンがユーザにより選択されたときは前記記憶部に記憶されている前記第３改善要望及び前記第４改善要望からユーザが要望する改善項目をユーザに選択させるための第２改善要望選択画面を前記表示部に表示する第２処理と、前記第１改善要望選択画面において前記第１改善要望がユーザにより選択されたときはデジタルカメラに設定すべき前記第１設定を示す第１ガイド画面を前記表示部に表示し、前記第１改善要望選択画面において前記第２改善要望がユーザにより選択されたときはデジタルカメラに設定すべき前記第２設定を示す第２ガイド画面を前記表示部に表示し、前記第２改善要望選択画面において前記第３改善要望がユーザにより選択されたときはデジタルカメラに設定すべき前記第３設定を示す第３ガイド画面を前記表示部に表示し、前記第２改善要望選択画面において前記第４改善要望がユーザにより選択されたときはデジタルカメラに設定すべき前記第４設定を示す第４ガイド画面を前記表示部に表示する第３処理とを実行し、前記対象撮影画像の撮影シーンが前記認識部により認識された場合は、前記ガイダンスモードにおいて、前記撮影シーン選択画面を前記表示部に表示する前記第１処理を実行することなく、前記対象撮影画像の撮影シーンが前記第１撮影シーンであると前記認識部により認識されたときは前記第１改善要望選択画面を前記表示部に表示し、前記対象撮影画像の撮影シーンが前記第２撮影シーンであると前記認識部により認識されたときは前記第２改善要望選択画面を前記表示部に表示する第４処理と、前記第１改善要望選択画面において前記第１改善要望がユーザにより選択されたときは前記第１ガイド画面を前記表示部に表示し、前記第１改善要望選択画面において前記第２改善要望がユーザにより選択されたときは前記第２ガイド画面を前記表示部に表示し、前記第２改善要望選択画面において前記第３改善要望がユーザにより選択されたときは前記第３ガイド画面を前記表示部に表示し、前記第２改善要望選択画面において前記第４改善要望がユーザにより選択されたときは前記第４ガイド画面を前記表示部に表示する第５処理とを実行する表示制御部とを備えることを特徴とする。
請求項２に記載の画像処理装置は、請求項１に記載の画像処理装置において、前記認識部は、タグ情報に基づいて前記対象撮影画像の撮影シーンを認識することを特徴とする。
請求項３に記載のデジタルカメラは、請求項１又は請求項２に記載の画像処理装置を備えるデジタルカメラであって、前記ガイダンスモードにおいて前記第１設定を前記デジタルカメラに設定するための操作がユーザによりなされると、前記第１設定が前記デジタルカメラに設定された状態で撮影を行うことが可能な撮影モードに移行するモード制御部とを更に備えることを特徴とする。
請求項４に記載のデジタルカメラは、請求項３に記載のデジタルカメラにおいて、前記表示制御部は、前記第１設定が前記デジタルカメラに設定された状態で撮影することで得られる画像と同様の効果が得られる画像処理を前記対象撮影画像に施した画像処理済画像をサンプル画像として含む前記第１改善要望選択画面を前記表示部に表示し、前記ガイダンスモードにおいて前記第１設定を前記デジタルカメラに設定するための操作がユーザにより行われることなく撮影モードに移行した場合は、前記画像処理済画像を記録媒体に記録する記録制御部を更に備えることを特徴とする。
請求項５に記載のデジタルカメラは、請求項４に記載のデジタルカメラにおいて、前記記録制御部は、前記画像処理済画像とともに前記対象撮影画像を前記記録媒体に記録することを特徴とする。
請求項６に記載のデジタルカメラは、請求項３から請求項５のいずれか一項に記載のデジタルカメラにおいて、前記ガイダンスモードへ移行するためにユーザにより操作される操作部を更に備え、前記対象撮影画像は、撮影指示に応じて生成された画像であり、前記表示制御部は、前記撮影指示に応じてプレビュー画像を前記表示部に表示し、前記モード制御部は、前記プレビュー画像が前記表示部に表示されている間に前記操作部がユーザにより操作されると、前記ガイダンスモードに移行することを特徴とする。
【発明の効果】
【０００６】
本発明によれば、デジタルカメラに設定すべき内容をユーザに示すことができる。
【発明を実施するための最良の形態】
【０００７】
以下、図を参照して本発明を実施するための最良の形態について説明する。図１は本発明による画像処理装置の一実施の形態を示す図である。以下では、本実施の形態の画像処理装置をデジタルカメラに適用した場合について説明する。図１はデジタルカメラの概略構成を示すブロック図である。                                                                   
【０００８】
マイコン１０はＣＰＵやＲＡＭ，ＲＯＭ等を備え、デジタルカメラ１の制御を行う。撮影光学系１２はズーム光学系を構成しており、ズーム駆動部２６により撮影光学系１２に設けられた焦点距離調節レンズを光軸方向に移動させることで、撮影光学系１２の焦点距離を変える。焦点距離調節レンズの光軸方向位置は、ズーム駆動部２６に設けられたズームエンコーダ（不図示）によりモニタされる。ＡＦ駆動部２４にはＡＦモータおよびその駆動回路が設けられており、撮影光学系１２のフォーカスレンズをＡＦモータにより光軸方向に移動することで、撮影光学系１２のピント調整が行われる。フォーカスレンズの位置は、ＡＦ駆動部２４に設けられたＡＦレンズ位置エンコーダ（不図示）によってモニタされる。絞り１４は、撮像素子１８に届く光の量を調節する開口絞りである。絞り駆動部２８は、絞り１４を開閉駆動する。シャッタ１６は、シャッタ駆動回路３０によって開閉駆動される。
【０００９】
撮像素子１８は撮影光学系１２によって結像された被写体像を撮像し、被写体像の明るさに応じた光電変換信号を出力する。撮像素子１８は、画素に対応する複数の光電変換素子を備えたＣＣＤイメージセンサなどで構成される。撮像素子１８はＲ（赤）、Ｇ（緑）およびＢ（青）のカラーフィルタが設けられたカラーのエリアセンサであり、撮像素子１８から出力される光電変換信号はＲＧＢ表色系の色情報を有する。
【００１０】
ＡＦＥ（Analog Front End）回路２０は、ＣＤＳ（相関二重サンプリング）回路、ＡＧＣ（オートゲインコントロール）回路およびＡＤＣ（アナログ・デジタル変換回路）、タイミングジェネレータを含む。各回路には、タイミングジェネレータからのタイミング信号がそれぞれ供給される。ＣＤＳ回路は画像信号の低周波ノイズ低減処理を行う。ＡＧＣ回路はゲインを調整することにより撮像信号のレベル調整を行う。アナログ処理された画像信号はＡＤＣによりデジタル信号に変換され、画像処理回路２２に入力される。
【００１１】
画像処理回路２２は、デジタル信号を処理する回路であって例えばＡＳＩＣとして構成される。画像処理回路２２は、入力された画像信号に対してγ 補正やホワイトバランス補正， コントラスト補正等の画像処理を行うとともに、Ｒ，Ｇ，Ｂの画像データを輝度信号と色差信号とに対応するＹ，Ｃｂ，Ｃｒの画像データに変換するＹＣ変換処理を行う。さらに、画像処理回路２２は、ＹＣ変換処理された画像データを所定の圧縮形式、例えばＪＰＥＧ形式に圧縮する圧縮処理を行うとともに、撮影情報をタグとして画像データに付加する。撮影情報が付加された画像データは、メモリカードインターフェイス４０を介してメモリカード４２に記録される。不揮発性記憶媒体であるメモリカード４２は、デジタルカメラ１に着脱可能に装着されている。
【００１２】
モニタ３８には液晶表示パネルなどが用いられ、後述するようにデジタルカメラ１の背面側に設けられている。モニタ３８は表示駆動回路３６によって駆動制御され、様々な情報（メッセージやメニュー、マークなど）の表示を行ったり再生画像を表示したりすることができる。外部インターフェイス４６は、マイコン１０からの指示により外部機器（パーソナルコンピュータ等）との間で不図示のケーブルを介してデータを送受信する。内蔵メモリ３４はフラッシュメモリ等の不揮発性メモリであり、後述するガイダンスに関係するデータが記憶されている。操作部４４には、後述するレリーズボタン４５２（図２参照）などの操作部材が設けられている。マイコン１０は、操作部４４からの操作信号に基づいて各種制御を行う。
【００１３】
図２はデジタルカメラ１の背面側を示す図である。カメラ背面にはＬＣＤを用いたモニタ３８が設けられ、モニタ３８の図示右側の背面および上面には図１の操作部４４を構成する種々の操作ボタン類が配置されている。操作部４４としてはヘルプボタン４４０、モードボタン４４２、撮影／再生切り替えボタン４４４、メニューボタン４４６、ロータリーマルチセレクタ４４８、ＯＫボタン４５０、レリーズボタン４５２、ズームボタン４５４が設けられている。
【００１４】
ヘルプボタン４４０を押すと、後述するガイダンスモードとなる。撮影／再生切り替えボタン４４４を押すと、撮影を行うための撮影モードと撮影後の画像を再生表示するための再生モードとを切り換えることができる。撮影時にモードボタン４４２を押すとモニタ３８に撮影モードメニューが表示され、再生時にモードボタン４４２を押すとモニタ３８に再生モードメニューが表示される。撮影モードメニューおよび再生モードメニューにはそれぞれ複数のモードがアイコンで表示され、ロータリーマルチセレクタ４４８でそれらのモードの選択を行う。メニューボタン４４６を押すと、その時のモード（撮影モードまたは再生モード）に応じたメニューがモニタ３８に表示される。
【００１５】
モードやメニューの選択はロータリーマルチセレクタ４４８を用いて行われ、選択状態の確定はＯＫボタン４５０により行われる。ロータリーマルチセレクタ４４８を回転することにより、項目の選択を行う。なお、ロータリーマルチセレクタ４４８の上下左右位置Ａ，Ｂ，Ｃ，Ｄを押すことでも項目の選択を行うことができる。また、撮影時にロータリーマルチセレクタ４４８の上位置Ａを押すとフラッシュモードのメニューがモニタ３８に表示され、右位置Ｂを押すと露出補正モードのメニューがモニタ３８に表示され、下位置Ｃを押すとマクロモードのメニューが表示され、左位置Ｄを押すとセルフタイマーのメニューがモニタ３８に表示される。
【００１６】
（ガイダンスモードの動作説明）
本実施の形態のデジタルカメラでは、以下に示すようなガイダンスモードを備えている。一般的に、デジタルカメラは撮影シーンに応じて様々な条件設定が可能であって、それらの撮影条件の設定を変更することによって、同一の被写体に対して異なったイメージの画像を撮影することができる。しかしながら、様々な条件設定があるため、それらを全て覚えているのは難しく、自分のイメージする画像を得るためにどのような操作をすれば良いのか迷う場合がある。特に、撮影後の画像を好みのイメージとなるように再び撮影を実行しようとした場合、そのイメージの変更がどのような設定変更に対応するのかは、カメラの扱いになれていない初心者にとって非常に難しい。本実施の形態のデジタルカメラでは、所望のイメージとなるように再撮影を行う際の設定変更を助ける機能（ガイダンスモード能）を備えている。
【００１７】
図３は、ガイダンス機能を利用した場合のユーザの操作手順を示したものである。ステップＳ１では撮影を行う。撮影を行うと、図４（ａ）に示すようにプレビュー画像がモニタ３８に表示されるので、ユーザはステップＳ２においてプレビュー画像から撮影状態を確認する。ステップＳ３では、ユーザは、思い通りの画像が撮影できたか否かを判断する。そして、不満足な場合、例えば、手ブレしていたり、対象がピンぼけであったり、人物の目が赤く光っていたり（赤目状態）して、何となく自分がイメージしたのとは違っていて撮り直したいと思った場合には、ステップＳ４に進んで、ヘルプボタン４４０を押す。プレビュー画像がモニタ３８に表示されているときにヘルプボタン４４０が押されると、カメラの状態はガイダンスモードとなる。一方、取り直す必要がないと判断した場合には、従来のようにそのまま何も行わない。
【００１８】
ステップＳ４でヘルプボタン４４０が押されると、図４（ｂ）に示すようなモード選択画面がモニタモニタ３８に表示される。図４（ｂ）に示す例では、撮影画像に重畳するようにモード選択用のアイコン１００，１０２が表示されているが、アイコン１００，１０２のみを表示するようにしても良い。本実施の形態のデジタルカメラでは、カメラ推奨モード（アイコン１００）とユーザ設定モード（アイコン１０２）との２種類のガイダンスモードがある。カメラ推奨モードでは、標準的な画像を撮影できるような撮影条件の設定方法をガイダンスする。一方、ユーザ設定モードでは、ユーザのイメージするような画像が得られる撮影条件に関して、その設定方法をガイダンスする。
【００１９】
ガイダンスモードに入った時点ではカメラ推奨モードのアイコン１００が選択状態になっており、選択枠１０６がアイコン１００に表示されている。ユーザは、このモード選択画面においてステップＳ５のモード選択を行う。すなわち、ロータリーマルチセレクタ４４８の左右位置Ｂ，Ｄを押すことにより、選択枠１０６をアイコン１００，１０２間で移動させ、ＯＫボタン４５０を押すことでモードを確定する。以下では、図４（ｂ）に示す状態でＯＫボタン４５０が押され、カメラ推奨モードが選択された場合について説明する。
【００２０】
図４（ｂ）のモード選択画面においてカメラ推奨モードを選択しＯＫボタン４５０を押すと（ステップＳ５）、図５（ａ）に示すシーン選択メニュー１０４がモニタ３８に表示される。シーン選択メニュー１０４には複数の撮影シーンが項目として表示されており、ユーザは撮影した画像がこれらの内のどれであるかを選択する。本実施の形態のデジタルカメラでは、撮影モードとしてオート撮影モード、シーンモードを備えており、シーンモードに含まれるシーンの種類としてはポートレート、風景、夜景、スポーツ、夜景ポートレートなどがある。シーン選択メニュー１０４にはこれらのシーンが、選択項目として表示されている。なお、図５（ａ）に示す例では、撮影画像に重畳するように選択メニュー１０４を表示しているが、シーン選択メニュー１０４のみを表示するようにしても良い。
【００２１】
ステップＳ６において、ユーザは、ロータリーマルチセレクタ４４８の上下位置Ａ，Ｃを押して選択枠１０６を上下に移動させ所望の撮影シーンを選択し、ＯＫボタン４５０を押すことでシーン選択を行う。ここでは、ポートレートを選択した場合について説明する。ステップＳ６においてポートレートを選択し、ＯＫボタン４５０を押すと、図５（ｂ）または図５（ｃ）に示すような不具合項目選択画面がモニタ３８に表示される。
【００２２】
図５（ｂ）に示す不具合項目選択画面では、撮影画像に重畳されるように不具合項目メニュー１０８が表示されている。一方、図５（ｃ）に示す不具合項目選択画面では、不具合項目メニュー１０８とともに、選択枠１０６によって選択された不具合項目に対応したサンプル画像１１０が表示されている。このように、不具合が生じている典型的なサンプル画像１１０を表示することで、初心者であっても選択項目の内容を理解しやすくなり、より正確な選択を行うことができるようになる。なお、図５（ａ），（ｂ）において、撮影画像の全体を、図５（ｃ）のサンプル画像１１０のように縮小表示するようにしても良い。
【００２３】
ここでは、図５（ａ）のシーン選択画面を表示して、ユーザに撮影シーンの選択をさせた。しかしながら、シーンモードで撮影した場合には、撮影シーンのデータがタグ情報として記録されるので、そのタグ情報に基づいて表示されている画像の撮影シーンをカメラは認識することができる。また、そのようなタグ情報がない場合、例えば、マニュアルモードで撮影した場合などには、画像解析による公知のシーン解析を行って撮影シーンを自動的に決定するようにしても良い。
【００２４】
例えば、ポートレートシーンか風景シーンかを判定する場合、人物の顔領域の抽出を行い、画像中に人物の顔があるか否かによってポートレートシーンか風景シーンかを判定する。そこで、そのように撮影シーンをカメラが認識できる場合には、ヘルプボタン４４０が押されたならばシーン選択画面の表示を省略して、認識した撮影シーンに対応する不具合項目選択画面を図５（ｂ）、（ｃ）のように表示することができる。
【００２５】
ステップＳ７において、ユーザは、ロータリーマルチセレクタ４４８の上下位置Ａ，Ｃを押して選択枠１０６を上下に移動させ所望の不具合項目を選択し、ＯＫボタン４５０を押すことで不具合項目の選択を行う。ステップＳ７において不具合項目が選択されると、図６に示す対策画面が表示される。図６は、図５（ｂ）の２番目の項目（赤目）が選択された場合の対策画面を示したものである。図６に示すように、本実施の形態では赤目に関する３種類の解決方法が表示されており、図６の対策画面においていずれかを選択する。
【００２６】
ステップＳ８において、ユーザは、ロータリーマルチセレクタ４４８の上下位置Ａ，Ｃを押して選択枠１０６を上下に移動させて対策項目を選択し、ＯＫボタン４５０を押す。なお、対策項目が１つしか表示されない場合には、そのままＯＫボタン４５０を押す。図６において対策項目を選択すると、図７（ａ）に示すガイダンス画面１が表示される。ガイダンス画面は設定変更の手順をユーザにアドバイスする画面であり、ガイダンス画面１では、図２に示したロータリーマルチセレクタ４４８の上位置Ａを押してフラッシュモードに入ることをアドバイスしている。
【００２７】
ガイダンス画面１のアドバイスに従いロータリーマルチセレクタ４４８の上位置Ａを押すと、図７（ｂ）に示すガイダンス画面２が表示される。このガイダンス画面２は、フラッシュモードの設定メニューにメッセージＭ１，Ｍ２を追加表示したものであり、この画面上で設定変更を行うことができる。ユーザは、メッセージＭ１，Ｍ２に従い、選択枠１０６を上から２番目のアイコン、すなわち「赤目軽減自動発光」のアイコンを選択し、ＯＫボタン４５０を押す。
【００２８】
図７（ｂ）の画面においてＯＫボタン４５０が押されると、ステップＳ９で再撮影をするか否かを決定するための設定変更確定画面（図８参照）がモニタ３８に表示される。図８の設定変更確定画面において、「設定変更して、再度撮影を行う」を選択するとガイダンス画面に従って行った設定変更が確定され、「設定変更をせず、再撮影を行わない」を選択するとステップＳ８で行った設定変更は無効とされる。
【００２９】
例えば、人物撮影などの場合には撮り直しが容易なので再撮影が可能であるが、スポーツ写真などの場合には撮り直しができない。そこで、次の機会の参考のために設定操作だけを確認する目的でガイダンスモードを利用する場合には、図８の設定変更確定画面で「設定変更をせず、再撮影を行わない」を選択する。
【００３０】
図８の設定変更確定画面で「設定変更して、再度撮影を行う」を選択した場合には、ステップＳ１に戻って、設定変更状態において再度撮影を行う。その後、画像を確認し（ステップＳ２）、その画像に納得した場合にはそのまま次の撮影に進み、まだ納得できない場合にはステップＳ４へ進んで再びヘルプボタン４４０を押し、ガイダンスモードに入る。
【００３１】
図９は、「カメラ推奨モード」の場合の、各撮影シーン（ポートレート、風景、夜景ポートレート）における不具合／要望項目および解決方法（対策項目）の一例を示したものである。上述した例では、撮影シーンがポートレートで、不具合項目が「赤目」の場合について説明したが、他の撮影シーンおよび不具合項目の場合も同様のガイダンス動作が行われる。
【００３２】
また、図４（ｂ）で「ユーザ設定モード」を選択した場合も、同様の手順でガイダンスが行われる。ユーザ設定モードの場合、上述したカメラ推奨モードのように一般的に良好とされる標準的撮影状態から外れた場合の不具合項目だけでなく、ユーザの好みが反映できるような要望項目を用意しておく。
【００３３】
図１０は、「ユーザ設定モード」の場合の、各撮影シーン（ポートレート、風景、夜景ポートレート）における不具合・要望項目およびガイダンス項目の一例を示したものである。例えば、ポートレートシーンにおける要望項目としては「背景をぼやけさせたい」などがあり、図９の「カメラ推奨モード」における不具合項目に追加されて表示される。また、風景シーンであれば、空の色をより青く表現したい場合の項目「空の色を青く」や、木々の緑をより鮮やかに表現したい場合の項目「緑を鮮やかに」などが追加される。そして、ステップＳ８では、そのように撮影できるような条件設定の手順をガイダンス画像としてモニタ３８に表示する。
【００３４】
ところで、「カメラ推奨モード」の説明においては、不具合項目を選択枠１０６で選択した際に不具合を示すサンプル画像を表示する例を説明した。一方、「ユーザ設定モード」における要望項目の場合には、不具合の場合と異なり対策後のサンプル画像を示したほうがユーザにとっては便利である。そこで、撮影画像をデジタル処理した対策後の画像を、図５（ｃ）に示したサンプル画像１１０のように表示するようにしても良い。
【００３５】
例えば、「背景をぼやけさせたい」に選択枠１０６を移動させると、撮影画像に対して背景部分をぼやけさせるデジタル処理（例えば、平滑化処理）を行い、処理後の画像をサンプル画像としてモニタ３８に表示する。ユーザはサンプル画像により処理後の画像を確認することができ、それが望みの処理であるか否かを、撮影を行わなくても確認することができる。
【００３６】
また、図８の設定変更確定画面で「設定変更をせず、再撮影を行わない」を選択した場合に、撮影画像とともにこの処理後の画像をメモリカード４２に記録しても良い。もちろん、処理後の画像のみを記録するようにしても良い。
【００３７】
上述した実施の形態では、ガイダンスに関する画像をカメラのモニタ３８に表示し、撮影条件の設定を行ったが、図１１に示すように、パーソナルコンピュータ等の画像処理装置５００に画像データを取り込み、画像処理装置５００のモニタ５０２にガイダンスに関する画像を表示させるようにしても良い。画像処理装置５００にはガイダンス用のプログラムがインストールされており、そのプログラムを立ち上げた後に撮影画像を表示し、キーボード５０４またはマウス５０６を操作してガイダンス処理を行う。画面上には「ＨＥＬＰ」のアイコンが表示され、それをクリックすると図１１に示すような画面（シーン選択画面）が表示される。その後の操作は上述したデジタルカメラの場合と同様なので説明は省略する。
【００３８】
ただし、デジタルカメラ１でガイダンス操作を行う場合には、図７に示すようなガイダンス画面に従ってデジタルカメラ１の設定操作を行うことができたが、図１１に示す例では、設定操作の手順を示すのみで、ユーザはその設定画面を参考にデジタルカメラ１の設定変更を行うことになる。また、不具合／要望項目に応じた画像処理および処理後のデータの記憶については、画像処理装置５００側で行うことができる。
【００３９】
上述したように、本実施の形態では、撮影画像に基づいて不具合／要望項目が表示されるので、撮影シーンの条件とカメラ設定条件との関係を知らない初心者でも、容易に設定変更手順が解る。なお、ユーザ設定モードにおける設定履歴をユーザ情報として利用し、撮影シーンに応じてカメラ設定条件をユーザの好みの設定条件に自動的に近づけるようにしても良い。
【００４０】
上述した実施の形態では、カメラのモニタ３８にプレビュー画像が表示されているときにヘルプボタン４４０を押すことで、ガイダンスモードに入ったが、再生モードにおいて、再生表示画像をモニタ３８に表示させた状態でヘルプボタン４４０を押した場合にも、同様にガイダンスモードに入るようにしても良い。また、レンズ一体型のデジタルカメラを例に説明したが、本発明は一眼レフデジタルカメラにも同様に適用することができる。さらに、本発明の特徴を損なわない限り、本発明は上記実施の形態に何ら限定されるものではない。
【図面の簡単な説明】
【００４１】
【図１】デジタルカメラの概略構成を示すブロック図である。
【図２】デジタルカメラ１の背面側を示す図である。
【図３】ガイダンス機能を利用した場合のユーザの操作手順を示すフローチャートである。
【図４】ガイダンスモード時のモニタ表示を示す図であり、（ａ）はプレビュー画像が表示された状態を示す、（ｂ）はモード選択画面を示す。
【図５】ガイダンスモード時のモニタ表示を示す図であり、（ａ）はシーン選択画面を、（ｂ）は不具合項目選択画面を、（ｃ）は不具合項目選択画面の他の例をそれぞれ示す。
【図６】対策画面を示す図である。
【図７】ガイダンス画面を示す図である。
【図８】設定変更確定画面を示す図である。
【図９】「カメラ推奨モード」の場合の、各撮影シーン（ポートレート、風景、夜景ポートレート）における不具合／要望項目および解決方法（対策項目）の一例を示したものである。
【図１０】「ユーザ設定モード」の場合の、各撮影シーン（ポートレート、風景、夜景ポートレート）における不具合／要望項目および解決方法（対策項目）の一例を示したものである。
【図１１】画像処理装置５００を用いて設定操作をする場合の構成を示す図である。
【符号の説明】
【００４２】
１：デジタルカメラ、１０：マイコン、１２：撮影光学系１８：撮像素子、２２：画像処理回路、３８，５０２：モニタ、３６：表示駆動回路、４４：操作部、１００，１０２：アイコン、１０４：シーン選択メニュー、１０６：選択枠、１０８：不具合項目メニュー、４４０：ヘルプボタン、４４２：モードボタン、４４４：撮影／再生切り替えボタン、４４６：メニューボタン、４４８：ロータリーマルチセレクタ、４５０：ＯＫボタン、４５２：レリーズボタン、４５４：ズームボタン、５００：画像処理装置、５０４：キーボード、５０６：マウス
【図１】
0005169399.tif 000002
【図２】
0005169399.tif 000003
【図３】
0005169399.tif 000004
【図４】
0005169399.tif 000005
【図５】
0005169399.tif 000006
【図６】
0005169399.tif 000007
【図７】
0005169399.tif 000008
【図８】
0005169399.tif 000009
【図９】
0005169399.tif 000010
【図１０】
0005169399.tif 000011
【図１１】
0005169399.tif 000012